【事件の表示】
　平成１１年特許願第２９６９４３号「画像出力装置」拒絶査定不服審判事件〔平成１３年　４月２７日出願公開、特開２００１−１１９５４０〕について、次のとおり審決する。
【結　論】
　本件審判の請求は、成り立たない。
【理　由】
１．手続の経緯
　本願は、平成１１年１０月１９日の出願であって、平成１６年５月１０日付で拒絶査定がされ、これに対し、同年７月１日に拒絶査定不服審判が請求されるとともに、同年７月１４日付で手続補正がなされたものである。
　
２．平成１６年７月１４日付の手続補正についての補正却下の決定
［補正却下の決定の結論］
　平成１６年７月１４日付の手続補正を却下する。
　
［理由］
（１）本願補正発明
　平成１６年７月１４日付の手続補正（以下、「本件補正」という。）により、特許請求の範囲の請求項１は、
　「原稿の画像を読み取って画像データに変換する画像読取部と、この画像読取部によって読み取られた画像データを記憶する画像記憶部と、この画像記憶部に記憶された画像データに基づいて原稿に対応した画像を出力する画像出力部と、インデックスシート発行の指示を受け付けるインデックスシート発行指示受付部と、このインデックスシート発行指示受付部によってインデックスシート発行の指示を受け付けたことに応答して、前記画像出力部にインデックス情報を担持したインデックスシートを出力させるインデックスシート出力制御手段と、前記インデックスシートが前記画像読取部によって読み取られたときに、インデックスシート上のインデックス情報を画像認識するインデックス認識手段と、このインデックス認識手段が認識したインデックス情報と前記画像記憶部の記憶領域を指定する記憶領域指定情報とを対応付けて登録するインデックス登録手段と、前記インデックスシート出力制御手段による制御によって上記画像出力部から出力されたインデックスシートが前記画像読取部によって読み取られた後、このインデックスシートに引き続いて前記画像読取部によって読み取られた原稿の画像データを前記インデックス情報と対応付けられた記憶領域指定情報によって指定される前記画像記憶部内の記憶領域に格納する手段とを含み、前記インデックスシート出力制御手段は、前記インデックス認識手段によって画像認識されることにより、前記インデックス登録手段によって、前記画像記憶部の記憶領域を指定する記憶領域指定情報との対応付けが行われるインデックス情報を担持したインデックスシートを前記画像出力部に出力させるものであることを特徴とする画像出力装置。」と補正された。
　
　本件補正は、本件補正前の請求項１に記載した発明を特定するために必要な事項である「インデックスシート出力制御手段」について、具体的な限定を付加するものであって、特許法第１７条の２第４項第２号の特許請求の範囲の減縮を目的とするものに該当する。
　そこで、本件補正後の請求項１に記載された発明（以下、「本願補正発明」という。）が特許出願の際独立して特許を受けることができるものであるか（特許法第１７条の２第５項において準用する同法第１２６条第５項の規定に適合するか）について以下に検討する。
　
（２）引用例
　原査定の拒絶の理由に引用された、特開平５−３２８０６５号公報（以下、「引用例」という。）には、次の事項が図面と共に記載されている。
　
（ａ）「図１１は、情報検索のためのメモリ領域の構成を示しており、個々のインデックス画像データ１−０〜１−ｍを記憶するインデックス画像データファイル１と、後述する関係データを作成して記憶する関係データファイル２と、検索情報を記憶するディレクトリ３と、記録媒体へのファイルの配置を管理するＦＡＴ（File Allocation Table ）、検索対象となる情報ファイル群５とを有する。」（段落【０００３】）　
（ｂ）「（３）検索すべき情報の記憶
次に、操作者はキーボード１５より検索対象となる画像データの読み込みをＣＰＵ１１に指示するとともに、原稿画像を画像読取装置２５にセットする。ＣＰＵ１１は、画像読取装置インタフェース回路２４を経て、原稿がセットされたことを検知し、画像読取装置インタフェース回路２４を経て、画像読取装置２５をスタートし、不図示の圧縮部により圧縮された画像データをＲＡＭ１３に読み込む。」（段落【００１８】）　
（ｃ）「次いで、ＣＰＵ１１は、ＲＡＭ１３上の圧縮画像データを光磁気ディスク記憶装置インタフェース回路２０を経て光磁気ディスク記憶装置２１の情報ファイル領域に記憶する。」（段落【００１９】）　
（ｄ）「まず、インデックス付けの対象となる撮影画像を、光磁気ディスク記憶装置インタフェース回路２０を経て光磁気ディスク記憶装置２１の情報ファイル領域からＲＡＭ１３にロードするとともに、液晶ディスプレイインタフェース回路２２を経て液晶ディスプレイ２３に表示する。なお、この光磁気ディスクからの読み出しは、例えば撮影順に行えばよい。」（段落【００２１】）
（ｅ）「操作者は、液晶ディスプレイ２３に表示された画像を見てその内容に該当するインデックス画像を選択し、キー１５−０〜１５−８で行と列を指定する。
　ＣＰＵ１１は、関係データファイル２のインデックス付けの対象となっている画像に対応するビット列のうち、指定されたインデックス画像データに対応するビット位置を１にする。」（段落【００２２】〜【００２３】）　
（ｆ）「次に、マークシートの生成方法について、図４のフローチャートを用いて説明する。
　まず、上記ＲＡＭ１３内に、マークシート４００を生成するための領域を確保し（Ｓ４０１）、画像インデックス情報の枠４１０、メモ欄４０６、スキャナ設定欄４０７、チェックサム欄４０８、マークシート記憶マーク４２０、基準マーク４０９、シートタイプのバーコード４０３を順に生成する （Ｓ４０２〜Ｓ４０８）。
　次に、光磁気ディスク記憶装置２１に記憶されているディスクＩＤを読み出し（Ｓ４０９）、バーコードとしてＲＡＭ１３上に生成する（Ｓ４１０）。同様にインデックス画像識別コードも読み出し（Ｓ４１１）、バーコードとして生成する（Ｓ４１２）。
　次に、インデックス画像データファイル１を読み出して（Ｓ４１３）、データレコード１−０、１−１・・・１−ｍの各データをチェックする（Ｓ４１４）。そして、データが有効ならば、画像インデックス情報４０１を生成する（Ｓ４１５）。このとき、近傍にマーク欄４０２を生成する（Ｓ４１６）。」（段落【００７８】〜【００８１】）　
（ｇ）「ＲＡＭ１３上でマークシートイメージデータの生成が終了したら、当該イメージデータを画像印刷装置インタフェース回路２６を介して画像印刷装置２７に送出し、印字出力する（Ｓ４１８）。」（段落【００８２】）（ｈ）「上述したように原稿が搬送路２６５にそって画像読取装置２５内を進み、画像を読み込むための光電変換素子としての表面用ＣＣＤ２５０および裏面用ＣＣＤ２５２の位置に達すると、原稿の画像が表裏同時に読み取られ始める。（途中省略）
　そして、表裏同時に読み取られた画像データは、それぞれラインスイッチング部２５４に送られる。このラインスイッチング部２５４は、表面用ＣＣＤ２５０から主走査１本分のデータを次段へ通すと、内部のスイッチング素子を切り替え、次に裏面用ＣＣＤ２５２から主走査１本分の画像データを次段へ通す機能を有している。このようにして、表裏の画像データは主走査の単位で直列化され、次段の圧縮部２５５へと送られる。（途中省略）
　ここで表面用ＣＣＤ２５０からの表面の画像データは、図８に示したように、圧縮されないまま、その画像の全てが画像解析ＲＡＭ３００に書き込まれる（Ｓ２）。」（段落【００９５】、【００９８】、【０１０１】）　
（ｉ）「ところで、原稿台２６１上に積載された原稿は、例えば図６に示すように、先頭のページにマークシート４００を有する複数のファイルが積載されているものとすると、この時点で画像解析ＲＡＭ３００上に格納されているのは第１ファイルのマークシート４００であり、操作者によって事前に、その第１ファイルに付けたいインデックスに対応するマーク欄にチェックがされているものである。」（段落【０１０２】）　
（ｊ）「ＣＰＵ１１は、画像解析ＲＡＭ３００に格納された非圧縮の画像データ、すなわちマークシート４００の画像データを検査していくわけであるが、その際に、まず基準マークの有無を調べる。」（段落【０１０４】）　
（ｋ）「また、Ｓ４で一致している場合は、各マーク欄のチェックの有無を検査することによって、このファイルに付けるべき画像インデックスおよび、スキャナの設定の情報を得ることになる。また、このファイルの記憶モード、すなわちこのファイルが両面原稿であるか片面原稿であるか、また、操作者がこのファイルをノーマルモードで記憶したいのかファインモードで記憶したいのかについての情報も得ることになる（Ｓ６）。」（段落【０１１０】）　
（ｌ）「ここで両面→２頁モードである旨が格納されている場合には、そのファイルを後に表示または印刷する際に、裏面の画像を表面の画像の次のページであるように扱うこととなる。すなわち、例えば表示に際して、表面が表示されている状態では、次の頁を表示する旨のキーボード１５の操作によって裏面の頁が表示されることとなる。」（段落【０１２１】）
（ｍ）「次にＳ１２において、まだ次の原稿があると判断され、Ｓ１へと戻るが、図６における第１ファイルの２頁目以降の原稿はマークシート４００ではなくファイルの本体であるので、Ｓ３における基準マークの検査によって基準マークが検知されないので、Ｓ１３によって画像データがディスクに記憶されるのみの動作となる。
　以後、図６におけるファイル２、３、４も、それぞれの先頭頁にあるマークシート４００１、４００２、４００３によってインデックス画像の自動選択およびスキャナモードの自動設定が行われることとなる。」（段落【０１２８】〜【０１２９】）　
　
（３）対比
（ア）引用例に記載された発明（以下、「引用発明」という。）の「マークシート」は、本願補正発明の「インデックスシート」に相当する（前掲（ｆ））。
　
（イ）引用発明においては、画像読取装置２５からＲＡＭ１３に読み込まれた原稿画像の画像データを、光磁気ディスク記憶装置２１の情報ファイル領域に記憶しており（前掲（ｂ）、（ｃ））、したがって「画像読取装置２５」及び「光磁気ディスク記憶装置２１」は、本願補正発明の「原稿の画像を読み取って画像データに変換する画像読取部」及び「画像読取部によって読み取られた画像データを記憶する画像記憶部」にそれぞれ相当する。
　
（ウ）引用発明は、ファイルの印刷、すなわち原稿の印刷を行う機能を備えている（前掲（ｌ）、（ｉ））。
　また、引用発明は、光磁気ディスク記憶装置２１の情報ファイル領域に記憶された画像データを、ＲＡＭ１３にロードする機能、及び該ＲＡＭ１３上のイメージデータを、画像印刷装置２７に送出し、印字出力する機能を備えており（前掲（ｄ）、（ｇ））、したがって「画像印刷装置２７」は、本願補正発明の「画像記憶部に記憶された画像データに基づいて原稿に対応した画像を出力する画像出力部」に相当する。
　
（エ）引用発明は、ＲＡＭ１３内にマークシートを生成するための領域を確保し、画像インデックス情報、マーク欄等をマークシートイメージデータとして生成し、該イメージデータを画像印刷装置２７に送出して印字出力しており（前掲（ｆ）、（ｇ））、本願補正発明の「画像出力部にインデックスシートを出力させるインデックスシート出力制御手段」に相当する機能、及び「「インデックスシート出力制御手段」が、「インデックスシートを画像出力部に出力させる」」ことに相当する機能を備えている。
　また、画像印刷装置を備えた画像情報処理装置が、目的とする画像の印刷の指示を受け付けるための手段を備えていることは自明であるから、引用発明は、本願補正発明の「インデックスシート発行の指示を受け付けるインデックスシート発行指示受付部」に相当する構成を備えている。
　
（オ）引用発明においては、画像読取装置２５によって読み取られた原稿の表面の画像データを、ＣＣＤを介して画像解析ＲＡＭ３００に書き込んでおり（前掲（ｈ））、前記原稿が先頭のページにマークシート４００を有する複数のファイルからなる場合、前記画像解析ＲＡＭ３００には、第１ファイルに付けたいインデックスに対応するマーク欄に、操作者によって事前にチェックがされたマークシート４００の画像が格納され（前掲（ｉ））、ＣＰＵ１１により前記画像解析ＲＡＭ３００に格納されたマークシート４００の画像データを検査し（前掲（ｊ））、各マーク欄のチェックの有無を検査することにより、前記ファイルに付けるべき画像インデックスの情報を得ている（前掲（ｋ））。
　したがって、引用発明は、マークシートの画像データを画像認識することにより、ファイルに対応するインデックス情報を取得しており、本願補正発明の「インデックスシートが前記画像読取部によって読み取られたときに、インデックスシート上のインデックス情報を画像認識するインデックス認識手段」、及び「インデックス認識手段によって画像認識され」る「インデックス情報」に相当する構成を備えている。
　
（カ）引用発明においては、画像読取装置２５に読み取らせる原稿が、先頭のページにマークシートを有する複数のファイルからなる場合、前記マークシートの画像データを検査して第１のファイルに付けるべき画像インデックスの情報を得（前掲（ｉ）、（ｊ）、（ｋ））、次の原稿の基準マークを検査して該基準マークが検知されないと、マークシートでなくファイルの本体として単に画像データがディスクに記憶され、以後、他のファイルについても、それぞれの先頭頁にあるマークシートによってインデックス画像の自動選択が行われる（前掲（ｍ））。
　また、引用発明は、画像印刷装置２７により前記マークシートを印字出力する機能も備えている（前掲（ｇ））。
　したがって、引用発明は、本願補正発明の「インデックスシート出力制御手段による制御によって画像出力部から出力されたインデックスシートが画像読取部によって読み取られた後、このインデックスシートに引き続いて前記画像読取部によって読み取られた原稿の画像データを画像記憶部内の記憶領域に格納する手段」に相当する機能を備えている。
　
　以上を踏まえ、本願補正発明と引用発明を対比すると、両者は、
　「原稿の画像を読み取って画像データに変換する画像読取部と、この画像読取部によって読み取られた画像データを記憶する画像記憶部と、この画像記憶部に記憶された画像データに基づいて原稿に対応した画像を出力する画像出力部と、インデックスシート発行の指示を受け付けるインデックスシート発行指示受付部と、このインデックスシート発行受付部によってインデックスシート発行の指示を受け付けたことに応答して、前記画像出力部にインデックスシートを出力させるインデックスシート出力制御手段と、前記インデックスシートが前記画像読取部によって読み取られたときに、インデックスシート上のインデックス情報を画像認識するインデックス認識手段と、前記インデックスシート出力制御手段による制御によって上記画像出力部から出力されたインデックスシートが前記画像読取部によって読み取られた後、このインデックスシートに引き続いて前記画像読取部によって読み取られた原稿の画像データを前記画像記憶部内の記憶領域に格納する手段とを含み、前記インデックスシート出力制御手段は、インデックスシートを前記画像出力部に出力させるものであることを特徴とする画像出力装置。」である点、及び前記「インデックス情報」が、「インデックス認識手段によって画像認識される」ものである点で一致し、以下の点で相違する。
　
［相違点１］
　本願補正発明の「インデックスシート出力制御手段」が、予めインデックス情報を担持したインデックスシートを画像出力部に出力させているのに対し、引用発明においては、画像印刷装置２７から印字出力されたマークシートは、ファイルに付けるべき画像インデックスを特定するマーク欄に予めチェックが付与されたものでなく、操作者自身が前記チェックを付与する点。
　
［相違点２］
　本願補正発明が、「インデックス認識手段が認識したインデックス情報と画像記憶部の記憶領域を指定する記憶領域指定情報とを対応付けて登録するインデックス登録手段」を備えており、また、インデックスシートに引き続いて読み取られた原稿の画像データを、「インデックス情報と対応付けられた記憶領域指定情報によって指定される」画像記憶部内の記憶領域に格納しているのに対し、引用発明においては、マークシートに続いて読み取られる、ファイル本体を構成する原稿の画像データが、ディスクのどの領域に記憶されるかを示す情報、及び該情報と前記マークシートにより指定されるインデックス画像との対応関係について明らかでない点。
　
（４）判断
　上記相違点について検討する。
　
［相違点１について］
　画像の登録、検索等を行う画像ファイリング装置において、複数の書類のそれぞれに対応する識別情報を印刷した仕切紙を、印刷の指示に基づいて印刷装置により発行することは、当業者に周知の技術である。
　例えば、特開平７−１６８８４６号公報には、「このような装置では、タイトル一括登録モードに設定することにより、あらかじめパーソナルコンピュータ等によってフロッピーディスクに記録された１乃至複数の頁を１単位とした書類単位の複数の検索キーからなるタイトル（検索情報）が読出され、その対応するキャビネット（製造）番号と直接番号（タイトル登録時にキャビネットに割り当てられた番号）とが付与されて内部メモリに記憶される。」（段落【０００３】）、及び「ついで、仕切紙Ｓの印刷の指示された際（ＳＴ１３）、上記直接番号、キャビネット番号に対応した符号化ビットパターンとタイトルの各検索キーごとの文字の文字パターンとを印刷した、図３に示すような仕切紙Ｓをプリンタ装置２５により発行する（ＳＴ１４）。」（段落【００４０】）と記載されており、前記「符号化ビットパターン」、及び「ビットパターン」が、各仕切紙に印刷された、各書類に対応する識別情報に相当する。
　引用発明においても、画像印刷装置２７から印字出力されたマークシートに付与された情報を読み取らせて画像認識することにより、ファイルに対応するインデックス情報を取得しており（前掲（オ））、使い勝手をよくするために、引用発明に上記周知技術を適用して、各ファイルに対応する識別情報が予め印刷されたマークシートを画像印刷装置より出力させることは、当業者が容易に想到し得たものと認められる。
　
［相違点２について］
　画像の登録、検索等を行うファイリング装置において、複数の書類を登録する場合、各書類の先頭に、各書類に対応する識別情報を印刷した仕切紙を挿入した状態で画像読取装置に読み取らせ、各仕切紙から前記識別情報を認識しつつ、各書類の画像データを記憶装置に記憶し、次の仕切紙が認識されると、その直前の書類の画像データが記憶されている記憶領域の情報を、前記識別情報に対応させて記憶することは、当業者に周知の技術である。
　例えば、前掲特開平７−１６８８４６号公報には、「次に、キーボード２３ａにより、書類登録モードに選択設定し、登録しようとする複数の書類（文書）の原稿Ｏ…と各書類の先頭に上記印刷発行した仕切紙Ｓを挿入した状態で、スキャナ装置１８の原稿送り装置１８ａのトレイ（図示しない）上に載置する。この載置により、スキャナ装置１８の原稿送り装置１８ａが作動を開始し、１つ目の書類に対する仕切紙Ｓが搬送され、スキャナ装置１８により読取られ、この読取り内容がスキャナインターフェース５２、内部バス５６、画像バス３２を介してページメモリ４０に記憶される。すなわち、スキャナ装置１８により１つ目の書類に対する仕切紙Ｓの画像が二次元的に走査され光電変換され、この光電変換された画像のライン情報がページメモリ４０に順次記憶される。
　また、ＣＰＵ３４は、ページメモリ４０の仕切紙特定データ記載エリアに記憶されているビットパターンを読出し、この読出したビットパターンをビットパターンテーブル３８ａを用いてキャビネット番号、直接番号の数字のコードデータに変換する。
　ついで、ＣＰＵ３４は、そのキャビネット番号、直接番号に対応するメインメモリ３８に記憶されているタイトルを登録するタイトルと判断する。ついで、ＣＰＵ３４は、原稿送り装置１８ａを作動させ、１つ目の書類の１枚目の原稿Ｏがスキャナ装置１８により読取られ、この読取内容がページメモリ４０に記憶される。
　ついで、ＣＰＵ３４はページメモリ４０の画像をライン情報ごとに圧縮伸長回路（CODEC)５０において、周知のＭＲ(Modified Read) 方式等により帯域圧縮することにより符号化処理する。この符号化処理された画像は、光ディスク装置２２に供給されて光ディスク２０に記憶される。
　また、１件目の書類に対する原稿Ｏに対しては、上記同様な処理が行われる。各原稿Ｏに対しても、ページメモリ４０の仕切紙特定データ記載エリアに記憶されているビットパターンを調べ、原稿Ｏか仕切紙Ｓかを確認している。
　そして、２件目の書類に対する仕切紙Ｓが判断された際、ＣＰＵ３４は画像が記憶された物理トラックアドレス、物理セクタアドレスから決定される論理アドレス、ブロック長で表わされる画像長、画像属性などを１件目の書類に対するタイトルに対応させてメインメモリ３８に記憶し、検索データを作成する。ついで、ＣＰＵ３４はメインメモリ３８に記憶した１件目の書類に対する各頁の検索データを光ディスク装置２２に供給する。これにより、光ディスク装置２２は、供給される検索データを光ディスク２０内の各テーブル２６ａ〜２６ｃに記憶する。」（段落【００４５】〜【００５０】）と記載されている。
　引用発明も、インデックス画像データと、光磁気ディスク記憶装置の情報ファイル領域内の画像との対応付けを行う機能を備えており（前掲（ａ）、（ｄ）、（ｅ））、複数のファイルの登録を容易に行うために、引用発明に上記周知技術を適用して、各マークシートに続いて読み取られる、ファイル本体を構成する原稿の画像データが記憶されるディスク上の記憶領域の情報を、前記マークシートにより指定されるインデックス画像データと対応付けて記憶することは、当業者が容易に想到し得たものと認められる。
　
　そして、本願補正発明の奏する作用効果も、引用発明の奏する作用効果から当業者が予測できる以上の格別のものとも認められない。
　
（５）むすび
　以上のとおり、本件補正は特許法第１７条の２第５項で準用する第１２６条第５項の規定に違反するものであり、同法第１５９条第１項で準用する同法第５３条第１項の規定により却下されるべきものである。
　
３．本願発明
　平成１６年７月１４日付の手続補正は以上のとおり却下されたので、本願の請求項１に係る発明（以下、「本願発明」という。）は、平成１６年１月２９日付手続補正書の特許請求の範囲の請求項１に記載された事項により特定される、以下のとおりのものである。
　
　「原稿の画像を読み取って画像データに変換する画像読取部と、この画像読取部によって読み取られた画像データを記憶する画像記憶部と、この画像記憶部に記憶された画像データに基づいて原稿に対応した画像を出力する画像出力部と、インデックスシート発行の指示を受け付けるインデックスシート発行指示受付部と、このインデックスシート発行指示受付部によってインデックスシート発行の指示を受け付けたことに応答して、前記画像出力部にインデックス情報を担持したインデックスシートを出力させるインデックスシート出力制御手段と、前記インデックスシートが前記画像読取部によって読み取られたときに、インデックスシート上のインデックス情報を画像認識するインデックス認識手段と、このインデックス認識手段が認識したインデックス情報と前記画像記憶部の記憶領域を指定する記憶領域指定情報とを対応付けて登録するインデックス登録手段と、前記インデックスシート出力制御手段による制御によって上記画像出力部から出力されたインデックスシートが前記画像読取部によって読み取られた後、このインデックスシートに引き続いて前記画像読取部によって読み取られた原稿の画像データを前記インデックス情報と対応付けられた記憶領域指定情報によって指定される前記画像記憶部内の記憶領域に格納する手段とを含むことを特徴とする画像出力装置。」
　
（１）引用例
　原査定の拒絶の理由に引用された引用例、及びその他の記載事項は、前記「２．（２）」に記載したとおりである。
　
（２）対比・判断
本願発明は、前記２．で検討した本願補正発明から、「インデックスシート出力制御手段」について具体的な限定を省いたものである。
　そうすると、本願発明の構成要件をすべて含み、さらに他の構成要件を付加したものに相当する本願補正発明が、前記２．（３）及び（４）の対比、判断に記載したとおり、引用発明に基づいて、当業者が容易に発明をすることができたものであるから、本願発明も同様の理由により、引用発明に基づいて、当業者が容易に発明をすることができたものである。
　
（３）むすび
　以上のとおり、本願発明は、引用例に記載された発明に基づいて、当業者が容易に発明をすることができたものであるから、特許法第２９条第２項の規定により特許を受けることができない。
　したがって、本願は、他の請求項に係る発明について検討するまでもなく、拒絶されるべきものである。
　よって、結論のとおり審決する。